(57)【特許請求の範囲】
【請求項１】
光源からの光を用いて光変調素子を照明する照明光学系であって、
前記光源からの光を前記光源からの光と波長が異なる変換光に変換するとともに、前記変換光と、前記光源からの光と波長が同じ非変換光と、を射出する波長変換素子に、前記光源からの光を導く導光面と、
複数のレンズセルを備えるとともに、前記波長変換素子からの光を前記光変調素子に導くフライアイレンズと、を備え、
前記照明光学系の光軸方向視において、前記導光面は前記フライアイレンズよりも小さく、
前記照明光学系の光軸と直交するとともに、互いに直交する方向を第１の方向と第２の方向とし、前記照明光学系の光軸方向視における前記導光面の辺のうち前記第２の方向と平行な辺を第１の辺と第２の辺とし、
前記第２の方向に平行な前記複数のレンズセル間の境界のうち、前記照明光学系の光軸方向視において前記導光面とは異なる領域に位置するとともに前記第１の辺に最も近い境界から前記第１の辺までの前記第１の方向の距離をｄ１とし、
前記第２の方向に平行な前記複数のレンズセル間の境界のうち、前記照明光学系の光軸方向視において前記導光面とは異なる領域に位置するとともに前記第２の辺に最も近い境界から前記第２の辺までの前記第１の方向の距離をｄ２とし、
前記照明光学系の光軸方向視における前記導光面の重心から、前記第２の方向に平行な前記複数のレンズセル間の境界のうち前記導光面の重心に最も近い境界までの前記第１の方向の距離と、前記照明光学系の光軸方向視における前記導光面の重心から、前記複数のレンズセルの重心のうち前記導光面の重心に最も近い重心までの前記第１の方向の距離とのうち短い方の距離をｄｃ１とし、前記複数のレンズセル間の前記第１の方向の距離をｐ１とするとき、
０．９≦ｄ１／ｄ２≦１．１
ｄｃ１／ｐ１≦０．１
を満足することを特徴とする照明光学系。
【請求項２】
前記第１の方向は、前記複数のレンズセルの長手方向と平行である、
ことを特徴とする請求項１に記載の照明光学系。
【請求項３】
前記照明光学系の光軸方向視における前記導光面の辺のうち前記第１の方向と平行な辺を第３の辺と第４の辺とし、
前記第１の方向に平行な前記複数のレンズセル間の境界のうち、前記照明光学系の光軸方向視において前記導光面とは異なる領域に位置するとともに前記第３の辺に最も近い境界から前記第３の辺までの前記第２の方向の距離をｄ３とし、
前記第１の方向に平行な前記複数のレンズセル間の境界のうち、前記照明光学系の光軸方向視において前記導光面とは異なる領域に位置するとともに前記第４の辺に最も近い境界から前記第４の辺までの前記第２の方向の距離をｄ４とし、
前記照明光学系の光軸方向視における前記導光面の重心から、前記第１の方向に平行な前記複数のレンズセル間の境界のうち前記導光面の重心に最も近い境界までの前記第２の方向の距離と、前記照明光学系の光軸方向視における前記導光面の重心から、前記複数のレンズセルの重心のうち前記導光面の重心に最も近い重心までの前記第２の方向の距離とのうち短い方の距離をｄｃ２とし、前記複数のレンズセル間の前記第２の方向の距離をｐ２とするとき、
０．９≦ｄ３／ｄ４≦１．１
ｄｃ２／ｐ２≦０．１
を満足することを特徴とする請求項１または２に記載の照明光学系。
【請求項４】
前記照明光学系の光軸方向視において、前記導光面の重心と前記フライアイレンズの重心との間の前記第１の方向の距離をｄｆ１とするとき、
ｄｆ１／ｐ１≦０．１
を満たすことを特徴とする請求項１乃至３のいずれか一項に記載の照明光学系。
【請求項５】
前記照明光学系の光軸方向視において、前記導光面の重心の前記第２の方向の位置と前記フライアイレンズの重心の前記第２の方向の位置は互いに異なっている、
ことを特徴とする請求項４に記載の照明光学系。
【請求項６】
前記光変調素子と、
請求項１乃至５のいずれか一項に記載の照明光学系と、
前記照明光学系からの光を前記光変調素子に導くとともに、前記光変調素子からの光を投射光学系に導く色分離合成系と、を備える、
ことを特徴とする投射型表示装置。
【請求項７】
前記光変調素子は、青色光用の光変調素子と、緑色光用の光変調素子と、赤色光用の光変調素子であって、
前記青色光用の光変調素子に印加する電圧を制御する制御手段をさらに備え、
前記制御手段は、前記青色光用の光変調素子のうち所定の領域の反射率が、前記青色光用の光変調素子が許容可能な最大電圧を前記青色光用の光変調素子に印加した際の前記所定の領域の反射率よりも低くなるように、前記青色光用の光変調素子に印加する電圧を制御する、
ことを特徴とする請求項６に記載の投射型表示装置。
【請求項８】
前記所定の領域は、前記第１の辺と前記複数のレンズセル間の境界のうち前記第１の辺に最も近い境界との間の領域と、前記第２の辺と前記複数のレンズセル間の境界のうち前記第２の辺に最も近い境界との間の領域に対応する領域である、
ことを特徴とする請求項７に記載の投射型表示装置。
【発明の詳細な説明】
【技術分野】
【０００１】
本発明は、照明光学系及びこれを用いた投射型表示装置に関する。
【背景技術】
【０００２】
近年、従来用いられていた水銀ランプよりも寿命が長いレーザーダイオード光源（以下、ＬＤ光源）を使ったプロジェクター（投射型表示装置）が開発されている。このようなプロジェクターとして、特許文献１に記載のプロジェクターが知られている。
【０００３】
特許文献１には、青色ＬＤ光源と、青色ＬＤ光源からの光によって蛍光光を発する蛍光体ホイールと、中心部は青色光を反射するダイクロイックコート領域となっており、その他の領域は光が透過する領域になっているミラーを用いた構成が開示されている。特許文献１に記載のミラーを用いることにより、青色光ＬＤ光源からの励起光に導くとともに、蛍光体からの蛍光光及び非変換光を、フライアイレンズを備えた照明光学系に導くことができるため、複数種類の光源を設ける必要が無くなる。
【先行技術文献】
【特許文献】
【０００４】
【特許文献１】特開２０１４−１７４２６４号公報
【発明の概要】
【発明が解決しようとする課題】
【０００５】
ここで、前述の特許文献１のような構成での、照明光学系の光軸方向視におけるダイクロイックミラーあるいはダイクロイックコート領域とフライアイレンズのレンズセルの境界との位置関係について考える。
【０００６】
例えば、ダイクロイックミラーあるいはダイクロイックコート領域の右端がレンズセルの境界と一致し左端はレンズセルの境界よりも内側に位置している場合に全面白色の投射画像を表示すると、投射画像の左側のみが青味を帯びた白色となってしまう。
【０００７】
すなわち、照明光学系の光軸方向視におけるダイクロイックミラーあるいはダイクロイックコート領域とフライアイレンズのレンズセルの境界との位置関係によっては、投射画像の画質が劣化してしまうおそれがある。
【０００８】
しかしながら、前述の特許文献１には、照明光学系の光軸方向視におけるダイクロイックミラーあるいはダイクロイックコート領域とフライアイレンズのレンズセルの境界との適切な位置関係に関する開示は無い。
【０００９】
そこで、本発明は、投射画像の画質の劣化を抑制することが可能な照明光学系及びこれを用いた投射型表示装置を提供することを目的とする。
【課題を解決するための手段】
【００１０】
上記の目的を達成するために、本発明の照明光学系は、
光源からの光を用いて光変調素子を照明する照明光学系であって、
前記光源からの光を前記光源からの光と波長が異なる変換光に変換するとともに、前記変換光と、前記光源からの光と波長が同じ非変換光と、を射出する波長変換素子に、前記光源からの光を導く導光面と、
複数のレンズセルを備えるとともに、前記波長変換素子からの光を前記光変調素子に導くフライアイレンズと、を備え、
前記照明光学系の光軸方向視において、前記導光面は前記フライアイレンズよりも小さく、
前記照明光学系の光軸と直交するとともに、互いに直交する方向を第１の方向と第２の方向とし、前記照明光学系の光軸方向視における前記導光面の辺のうち前記第２の方向と平行な辺を第１の辺と第２の辺とし、
前記第２の方向に平行な前記複数のレンズセル間の境界のうち、前記照明光学系の光軸方向視において前記導光面とは異なる領域に位置するとともに前記第１の辺に最も近い境界から前記第１の辺までの前記第１の方向の距離をｄ１とし、
前記第２の方向に平行な前記複数のレンズセル間の境界のうち、前記照明光学系の光軸方向視において前記導光面とは異なる領域に位置するとともに前記第２の辺に最も近い境界から前記第２の辺までの前記第１の方向の距離をｄ２とし、
前記照明光学系の光軸方向視における前記導光面の重心から、前記第２の方向に平行な前記複数のレンズセル間の境界のうち前記導光面の重心に最も近い境界までの前記第１の方向の距離と、前記照明光学系の光軸方向視における前記導光面の重心から、前記複数のレンズセルの重心のうち前記導光面の重心に最も近い重心までの前記第１の方向の距離とのうち短い方の距離をｄｃ１とし、前記複数のレンズセル間の前記第１の方向の距離をｐ１とするとき、
０．９≦ｄ１／ｄ２≦１．１
ｄｃ１／ｐ１≦０．１
を満足することを特徴とする。
【発明の効果】
【００１１】
本発明によれば、投射画像の画質の劣化を抑制することが可能な照明光学系及びこれを用いた投射型表示装置を提供することが可能となる。
【図面の簡単な説明】
【００１２】
【図１】投射型表示装置の構成を示す図
【図２】本発明の参考例のフライアイレンズとダイクロ投影面の関係を示す図
【図３】本発明の第１実施例のフライアイレンズとダイクロ投影面の関係を示す図
【図４】本発明の第１実施例におけるＢ光量分布の横断面を示す図
【図５】本発明の第２実施例のフライアイレンズとダイクロ投影面の関係を示す図
【図６】本発明の第２実施例におけるＢ光量分布の横断面を示す図
【図７】本発明の第３実施例のフライアイレンズとダイクロ投影面の関係を示す図
【発明を実施するための形態】
【００１３】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１４】
〔投射型表示装置の構成〕
図１を用いて、本発明の各実施例で示す照明光学系２００を搭載可能なプロジェクター（投射型表示装置）の構成について説明する。
【００１５】
（ＬＤ光源１から蛍光体５までの光路）
光源系（光源）１００は、ＬＤ光源１とコリメータレンズ２とを備えている。ＬＤ光源１は青色光を射出する励起光源であり、コリメータレンズ２はＬＤ光源１からの発散光を平行光に変換する正レンズである。
【００１６】
まず、ＬＤ光源１から発せられた光が蛍光体５まで導かれるまでを説明する。
【００１７】
ＬＤ光源１から発せられた青色光はコリメータレンズ２により光軸に対して略平行光化され、ダイクロイックミラー（導光面）３に入射する。ダイクロイックミラー３は青色波長域の光を反射し、緑色および赤色の光を透過する特性を有し、入射された青色光は集光レンズユニット４へと反射される。
【００１８】
なお、ダイクロイックミラー３はガラス基板の全面にダイクロイックコートを塗布した構成であっても、ガラス基板の中心などの一部の領域のみにダイクロイックコートを塗布した構成であってもよい。そして、本発明の各実施例における導光面とは、ダイクロイックミラー３のうちダイクロイックコートが塗布された面のことをいう。
【００１９】
集光レンズユニット４は、正のパワーを持ったレンズ群であり、ダイクロイックミラー３からの光束を蛍光体５へ集光する作用、および、蛍光体５から発せられた蛍光光を集光し、略平行光にする作用を有する。
【００２０】
（蛍光体５から第１フライアイレンズ６ａまでの光路）
蛍光体５は、蛍光体５へ入射した青色光の一部を変換光として青色波長よりも長波長の蛍光光にして発する。蛍光光以外は、波長変換されずに、未変換光として反射される。この時、蛍光光および未変換光は、ランダムな方向へ出射し、集光レンズユニット４により、略平行化され、ダイクロイックミラー３へ導かれる。
【００２１】
すなわち、蛍光体５は、ＬＤ光源１からの光をＬＤ光源１からの光と波長が異なる蛍光光（変換光）に変換するとともに、蛍光光と、ＬＤ光源１からの光と波長が同じ非変換光と、を射出する波長変換素子である。本実施例において、蛍光体５はＬＤ光源１からの青色光を励起光として黄色光（緑色光及び赤色光）を発する蛍光体である。
【００２２】
図１に示すように、集光レンズユニット４の光軸方向視において、ダイクロイックミラー３は集光レンズユニット４あるいは集光レンズユニット４からの光束よりも小さい。このため、蛍光体５からの蛍光光及び非変換光のうち、ダイクロイックミラー３を通らない光は第１フライアイレンズ６ａへ入射する。すなわち、本実施例においては、励起光源としてＬＤ光源と蛍光体５以外に光源を別途設けなくても白色光を第１フライアイレンズ６ａに導くことが可能であるため、プロジェクターの大型化を抑制することが可能となる。
【００２３】
また、図１に示すように、集光レンズユニット４の光軸とダイクロイックミラー３の法線とに平行な断面において、ダイクロイックミラー３は集光レンズユニット４の光軸よりもＬＤ光源１側の領域に設けられている。さらに、照明光学系２００の光軸方向視において、ダイクロイックミラー３は第１フライアイレンズ６ａよりも小さい。これにより、蛍光体５からの非変換光のうち強度が強い中心付近の光束を反射せずに第１フライアイレンズ６ａへと導くことが可能となるため、より明るい投射画像を投射可能なプロジェクターを実現することが可能となる。
【００２４】
（第１フライアイレンズ６ａからコンデンサーレンズ８までの光路）
蛍光体５からの光束は、レンズアレイをマトリックス状に配置された第１フライアイレンズ６ａによって分割されて第２フライアイレンズ６ｂの近傍に光源像を形成する。
【００２５】
第２フライアイレンズ６ｂの後には、偏光変換素子７が配置されている。偏光変換素子７は、短冊状の偏光ビームスプリッターとλ／２板からなり、無偏光の光束を偏光した光束に変換する作用を有する。本実施例においては、蛍光体５からの光束は後段で利用するｓ偏光に偏光する。
【００２６】
偏光変換素子７からの光束はコンデンサーレンズ８を介して後述の液晶パネル（光変調素子）１４（青色光用パネル１４ｂ、緑色光用パネル１４ｇ、赤色光用パネル１４ｒ）を重畳的に照明する。
【００２７】
（コンデンサーレンズ８から投射レンズ１６までの光路）
コンデンサーレンズ８からの光束は偏光板９に入射する。偏光板９は、ｓ偏光のみを透過する構成になっており、光変調時に利用するｓ偏光の偏光度を高める働きがある。
【００２８】
ダイクロイックミラー１０は、緑色の波長域の光を反射し、青色および赤色の光を透過させる特性を持ち、偏光板９からの白色光束を緑色の光束とマゼンタ色（青色＋赤色）の光束に分離する。
【００２９】
偏光ビームスプリッター１１（１１ａ、１１ｂ）は、ｓ偏光光を反射し、ｐ偏光光を透過する特性を持ち、各色の光束の偏光方向に合わせて、各色の対応した液晶パネルへと導く。具体的には、偏光ビームスプリッター１１ａは緑色光を緑光用パネル（緑色光用の光変調素子）１４ｇに導く。そして、偏光ビームスプリッター１１ｂは青色光を青色光用パネル（青色光用の光変調素子）１４ｂに導き、赤色光を赤色光用パネル（赤色光用の光変調素子）１４ｒに導く。
【００３０】
位相差板１２は、青色の波長域の偏光光については、偏光方向を変えずに透過させ、赤色の波長域の偏光光については、偏光方向を９０度回転させる作用を持つ。このため、位相差板１２と偏光ビームスプリッター１１ｂとを用いることで、マゼンタ色の光束を、赤色の光束と青色の光束に分離する働きを持つ。
【００３１】
１／４λ板（１３ｒ、１３ｇ、１３ｂ）は、液晶パネルでの反射による往復において１／２λの位相差を与えることで、検光効果を高める作用を有する。
【００３２】
光変調素子である液晶パネル（１４ｒ、１４ｇ、１４ｂ）は、偏光した各色の照射光を、表示したい画像信号に応じて偏光方向に変換させ反射させる。
【００３３】
ダイクロイックプリズム１５は、緑色の波長帯域の光を反射し、赤色および青色領域の光を透過する作用を有し、光変調された緑色の光束とマゼンタ色の光を合成し、投射レンズ１６に導く。
【００３４】
色分離合成系３００は、少なくとも前述のダイクロイックミラー１０、偏向ビームスプリッター１１ａおよび１１ｂ、位相差版１２、ダイクロイックプリズム１５を備えている。
【００３５】
投射レンズ（投射光学系）１６は、画像情報に応じて光変調された白色光をスクリーンに拡大表示する。
【００３６】
このような構成で、スクリーン上にカラー画像を投影することができる。
【００３７】
〔第１実施例〕
次に、投射画像の画質の劣化を抑制することが可能な本発明の第１実施例の構成について説明する。
【００３８】
（参考例の構成）
図２は、本発明の参考例の構成を示す図である。図２に示す参考例においては、照明光学系２００の光軸方向視（ｚ軸方向視）において、ダイクロイックミラー３の４辺と第１のフライアイレンズ６ａが備える複数のレンズセルａ間の境界と一致している。ダイクロイックミラー３の４辺と第１のフライアイレンズ６ａが備える複数のレンズセルａ間の境界と一致していると、図２に示すレンズセルａからの光束は青色光が緑色光及び赤色光よりも不足するが、色ムラは抑制することが可能となる。このため、複数のレンズセルａからの光束が前述のコンデンサーレンズ８によって液晶パネル１４を重畳的に照明すると、液晶パネル１４上での色ムラを抑制することが可能となる。
【００３９】
ここで、所望のホワイトバランス（白色色度）を得るために、ダイクロイックミラー３の投影領域の面積を調整して、液晶パネル１４に導かれる青色光の光量を調整することを考える。さらに、ダイクロイックミラー３の４辺と第１のフライアイレンズ６ａが備える複数のレンズセルａ間の境界と一致させつつ、ダイクロイックミラー３の投影領域の面積を調整する場合を考える。この場合、離散的にしかダイクロイックミラー３の投影領域の面積を調整することができず、設計の自由度が低下してしまう。
【００４０】
そこで、本実施例では、図３に示すように、設計の自由度の低下を抑制するためにダイクロイックミラー３の投影領域の面積を連続的に調整しつつ、投射画像の画質の劣化を低減する構成とした。以下、図３及び図４を用いて本発明の第１実施例について説明する。なお、本発明の各実施例では、第１フライアイレンズ６ａに入射する光束の強度分布は一様であるとする。つまり、点線で示した円の内部であれば、フライアイレンズセルで切り取られる分布は同じである。
【００４１】
（第１実施例の構成）
図３（ａ）に示すように、本実施例においては、ダイクロイックミラー３の４辺と第１のフライアイレンズ６ａが備える複数のレンズセルａ間の境界と一致しているわけではない。しかしながら、本実施例では、ダイクロイックミラー３の投影領域の辺とレンズセル間の境界までの距離を左右でほぼ同じになるように、前述の参考例と比較して左右を均等に短くなるように、ダイクロイックミラー３の投影領域を設定している。
【００４２】
具体的には、照明光学系２００の光軸と直交するとともに、互いに直交する方向をｘ軸方向（第１の方向）とｙ軸方向（第２の方向）とする。そして、照明光学系２００の光軸方向視におけるダイクロイックミラー３の辺のうちｙ軸方向と平行な辺を第１の辺と第２の辺とする。
【００４３】
さらに、ｙ軸方向に平行な複数のレンズセル間の境界のうち、照明光学系２００の光軸方向視においてダイクロイックミラー３とは異なる領域に位置するとともに第１の辺に最も近い境界から第１の辺までのｘ軸方向の距離をｄ１とする。
【００４４】
同様に、ｙ軸方向に平行な複数のレンズセル間の境界のうち、照明光学系２００の光軸方向視においてダイクロイックミラー３とは異なる領域に位置するとともに第２の辺に最も近い境界から第２の辺までのｘ軸方向の距離をｄ２とする。
【００４５】
さらに、以下の２つの距離のうち短い方の距離を図３（ｂ）に示すｄｃ１とする。すなわち、一方は、照明光学系２００の光軸方向視におけるダイクロイックミラー３の重心から、ｙ軸方向に平行な複数のレンズセル間の境界のうちダイクロイックミラー３の重心に最も近い境界までのｘ軸方向の距離である。他方は、照明光学系２００の光軸方向視におけるダイクロイックミラー３の重心から、複数のレンズセルの重心のうちダイクロイックミラー３の重心に最も近い重心までのｘ軸方向の距離である。
【００４６】
なお、図３（ｂ）はあくまではｄｃ１およびｄｃ２の定義を説明するための図であって、本発明の各実施例が図３（ｂ）に示す構成になっているわけではない。本発明の各実施例におけるｄｃ１およびｄｃ２は図３（ａ）や図３（ｃ）、あるいは後述の表１に示す通りである。
【００４７】
そして、複数のレンズセル間のｘ軸方向の距離、あるいはレンズセルのｘ軸方向の幅をｐ１とする。このとき、照明光学系２００が、以下の（１）式および（２）式を満足する。
０．９≦ｄ１／ｄ２≦１．１      （１）
ｄｃ１／ｐ１≦０．１            （２）
【００４８】
（１）式は、ダイクロイックミラー３の投影領域の辺とレンズセル間の境界までの距離が左右でほぼ同じであることを意味している。逆に言うと、（１）式の上限値および下限値を逸脱すると、ダイクロイックミラー３の投影領域の辺とレンズセル間の境界までの距離が左右で大きく異なってしまう。
【００４９】
また、（２）式は、ダイクロイックミラー３の重心がレンズセル間の境界あるいはレンズセルの重心近くに位置することを意味している。逆に言うと、（２）式の上限値を逸脱すると、ダイクロイックミラー３の重心がレンズセル間の境界あるいはレンズセルの重心から離れた位置にあることになってしまう。
【００５０】
つまり、（１）式を満足することによって、ダイクロイックミラー３の投影領域の辺とレンズセル間の境界までの距離が左右でほぼ同じにすることができる。さらに、（２）式を満足することによって、ダイクロイックミラー３の投影領域の辺とレンズセル間の境界との位置関係も左右でほぼ同じにすることができる。
【００５１】
したがって、（１）式および（２）式を満足することによって、色ムラを左右でほぼ対称にすることが可能となり、色ムラを目立ちにくくすることができる。言い換えれば、投射画像の画質の劣化を抑制することが可能な照明光学系及びこれを用いた投射型表示装置を提供することが可能となる。なお、本実施例においては、前述のｄ１およびｄ２はレンズセル間の距離（セルピッチ）ｐ１の半分以下となっている。
【００５２】
また、照明光学系２００は、以下の（１ａ）式および（２ａ）式を満足すると、より好ましい。
０．９５≦ｄ１／ｄ２≦１．０５      （１ａ）
ｄｃ１／ｐ１≦０．０５              （２ａ）
【００５３】
（レンズセルａおよび液晶パネル１４ｂ上での光量分布）
また、左右でほぼ対称な色ムラとは図４に示す状態を意味する。
【００５４】
図４に示すように、レンズセルａの青色光量分布の断面は、ダイクロイックミラー３と重なる領域と比べて、ダイクロイックミラー３と重なっていない端部が盛り上がった分布となる。なお、レンズセルａ以外のレンズセルに入射した青色光は、光軸に対して対称なレンズセル同士で重畳され、液晶パネル１４ｂ上での光量分布の断面は平坦になる。したがって、液晶パネル１４ｂ上での分布は、図４のように、中心部の光量が小さく、相対的に端部が盛り上がった分布となる。このように、前述の（１）式および（２）式を満足するように照明光学系２００を設定することで、左右でほぼ対称な色ムラを実現することができる。
【００５５】
（液晶パネル１４での電気的な補正）
一方で、緑色光および赤色光はダイクロイックミラー３を全て透過するため、光軸に対して対称なレンズセル同士が重畳され、液晶パネル１４ｇおよび１４ｒ上での光量分布の断面は平坦になる。
【００５６】
また、色ムラをスクリーン上で低減する為に、青色光用パネル１４ｂの端部での反射率を中心の反射率に比べて小さくするように電気的に補正することが好ましい。これにより、赤色および緑色の分布と同じ平坦な分布にすることで、スクリーン上の色ムラによる青色のスジを低減することもできる。青色光の反射率を小さくするように補正することで、比視感度が高い緑色の光量を落とさずに済むため、明るさの低下を抑制することができる。
【００５７】
また、一般的に投射レンズ１６が備える複数のレンズによって発生する収差の影響は、光軸方向視で対称に発生する。このため、前述のように色ムラは左右対称であることが好ましい。
【００５８】
さらに、上記の電気的な補正は液晶パネル内を特定の領域に分けて行うので、領域の分割数が少ない場合は、補正する分布を分割幅以下の精度で補正基準の分布に完全に一致させることができず、完全にムラを消せるわけではない。また、蛍光体の劣化によって発光位置が経時的に変化する場合などは、補正の基準となる元の分布が変化してしまうため、この場合もやはり補正が完全に行われず色ムラが残ってしまう可能性がある。
【００５９】
このように補正を行った際に色ムラが残ってしまう場合でも、本実施例の構成により、補正残りによる色ムラが左右対称に発生するので、非対称にこうした色ムラ残りが発生する場合に比べると、色ムラを目立ちにくくすることができる。
【００６０】
本実施例においては、上記の電気的な補正を図１に示す制御手段１７が行う。制御手段１７は青色光用パネル１４ｂに印加する電圧を制御する制御手段である。具体的には、青色光用パネル１４ｂのうち所定の領域の反射率が、青色光用パネル１４ｂが許容可能な最大電圧を青色光用パネル１４ｂに印加した際の所定の領域の反射率よりも低くなるように、青色光用パネル１４ｂに印加する電圧を制御する。
【００６１】
なお、ここでいう所定の領域とは、前述の第１の辺と複数のレンズセル間の境界のうち第１の辺に最も近い境界との間の領域と、前述の第２の辺と複数のレンズセル間の境界のうち第２の辺に最も近い境界との間の領域に対応する領域である。具体的には、本実施例においては、図４に示すように、液晶パネルと相似形であるレンズセルａのうち左右端部の幅ｄ１およびｄ２の領域からの光によって照明させる液晶パネル１４上の領域が、所定の領域である。
【００６２】
（より好ましい構成）
本実施例においては、左右方向（第１の方向、ｘ軸方向）についてほぼ対称な色ムラを実現することで、投射画像の画質の劣化を抑制することが可能な照明光学系２００の構成について説明した。これは、第１の方向であるｘ軸方向がレンズセルの長手方向と平行であり、幅の広い長手方向について投射画像の画質の劣化を抑制した方が好ましいためである。これに加えて、上下方向（第２の方向、ｙ軸方向）についてもほぼ対称な色ムラを実現することがより好ましい。
【００６３】
具体的には、照明光学系２００が以下のように構成されていることが好ましい。
【００６４】
照明光学系２００の光軸方向視におけるダイクロイックミラー３の辺のうちｘ軸方向と平行な辺を第３の辺と第４の辺とする。
【００６５】
そして、ｘ軸方向に平行な複数のレンズセル間の境界のうち、照明光学系２００の光軸方向視においてダイクロイックミラー３とは異なる領域に位置するとともに第３の辺に最も近い境界から第３の辺までのｙ軸方向の距離をｄ３とする。
【００６６】
同様に、ｘ軸方向に平行な複数のレンズセル間の境界のうち、照明光学系２００の光軸方向視においてダイクロイックミラー３とは異なる領域に位置するとともに第４の辺に最も近い境界から第４の辺までのｙ軸方向の距離をｄ４とする。
【００６７】
さらに、以下の２つの距離のうち短い方の距離を図３（ｂ）に示すｄｃ２とする。すなわち、一方は、照明光学系２００の光軸方向視におけるダイクロイックミラー３の重心から、ｘ軸方向に平行な複数のレンズセル間の境界のうちダイクロイックミラー３の重心に最も近い境界までのｙ軸方向の距離である。他方は、照明光学系２００の光軸方向視におけるダイクロイックミラー３の重心から、複数のレンズセルの重心のうちダイクロイックミラー３の重心に最も近い重心までのｙ軸方向の距離である。
【００６８】
そして、複数のレンズセル間のｙ軸方向の距離、あるいはレンズセルのｙ軸方向の幅をｐ２とする。このとき、照明光学系２００が、以下の（３）式および（４）式を満足するとより好ましい。
０．９≦ｄ３／ｄ４≦１．１      （３）
ｄｃ２／ｐ２≦０．１            （４）
【００６９】
（３）式は、ダイクロイックミラー３の投影領域の辺とレンズセル間の境界までの距離が上下でほぼ同じであることを意味している。逆に言うと、（３）式の上限値および下限値を逸脱すると、ダイクロイックミラー３の投影領域の辺とレンズセル間の境界までの距離が上下で大きく異なってしまう。
【００７０】
また、（４）式は、ダイクロイックミラー３の重心がレンズセル間の境界あるいはレンズセルの重心近くに位置することを意味している。逆に言うと、（４）式の上限値を逸脱すると、ダイクロイックミラー３の重心がレンズセル間の境界あるいはレンズセルの重心から離れた位置にあることになってしまう。
【００７１】
つまり、（３）式を満足することによって、ダイクロイックミラー３の投影領域の辺とレンズセル間の境界までの距離が上下でほぼ同じにすることができる。さらに、（４）式を満足することによって、ダイクロイックミラー３の投影領域の辺とレンズセル間の境界との位置関係も上下でほぼ同じにすることができる。
【００７２】
したがって、（３）式および（４）式を満足することによって、色ムラを上下でほぼ対称にすることが可能となり、色ムラを目立ちにくくすることができる。言い換えれば、投射画像の画質の劣化をより抑制することが可能な照明光学系及びこれを用いた投射型表示装置を提供することが可能となる。
【００７３】
また、照明光学系２００は、以下の（３ａ）式および（４ａ）式を満足すると、より好ましい。
０．９５≦ｄ３／ｄ４≦１．０５      （３ａ）
ｄｃ２／ｐ２≦０．０５              （４ａ）
【００７４】
なお、上記の各距離を図示すると、図３（ａ）、（ｂ）、（ｃ）に示すとおりである。
【００７５】
〔第２実施例〕
図５を用いて本発明の第２実施例について説明する。前述の第１実施例と本実施例との違いは、前述の第１実施例においては、前述のｄ１およびｄ２はレンズセル間の距離（セルピッチ）ｐ１の半分以下となっているのに対して、本実施例においては、ｐ１の半分以上になっている点である。このような構成であっても前述の（１）式および（２）式を満足することによって、左右でほぼ対称な色ムラとすることで、投射画像の画質の劣化を抑制することが可能となる。
【００７６】
具体的には、本実施例における光量分布は図６に示すとおりである。レンズセルｂとレンズセルｃでの光量分布は、左端あるいは右端の領域がダイクロイックミラー３と重なっているために、その領域に関しては青色の光量が低下する。
【００７７】
レンズセルｂおよびレンズセルｃ以外のレンズセルでの光量分布が平坦な分布の場合、各レンズセルからの光で液晶パネル１４を重畳的に照明すると、液晶パネル１４の断面での光量分布は図６に示すように中心において青色の光量が多い分布となる。このような分布であっても、左右でほぼ対称な色ムラとなっているため、前述の投射画像の画質の劣化を抑制することができる。
【００７８】
また、本実施例においても前述の第１実施例と同様に電気的な補正を行って、図４に示す中心付近の反射率を低下させることが好ましい。さらに、（３）式および（４）式も満足するとより好ましい。
【００７９】
〔第３実施例〕
図７を用いて本発明の第３実施例について説明する。前述の第１および第２実施例と、本実施例との違いは、照明光学系２００の光軸方向視において、ダイクロイックミラー３の重心と、第１フライアイレンズ６ａの重心とが一致している点である。
【００８０】
図３（ｂ）に示すように、照明光学系２００の光軸方向視において、ダイクロイックミラー３の重心と第１フライアイレンズ６ａの重心との間のｘ軸方向の距離をｄｆ１とする。このとき、照明光学系２００は以下の（５）式を満足すると好ましい。
ｄｆ１／ｐ１≦０．１      （５）
【００８１】
（５）式は、照明光学系２００の光軸方向視において、ダイクロイックミラー３の重心と、第１フライアイレンズ６ａの重心とがほぼ一致していることを意味する。なお、本実施例で示す照明光学系２００は少なくとも（１）式および（２）式を満足しているため、左右でほぼ対称な色ムラを実現することが可能となる。具体的には、前述の第２実施例と同様に図６に示すような光量分布となる。
【００８２】
なお、照明光学系２００は、以下の（５ａ）式を満足するとより好ましい。
ｄｆ１／ｐ１≦０．０５      （５ａ）
【００８３】
前述の第１実施例および第２実施例においては、第１フライアイレンズ６ａに入射する光束の光量分布が均一な場合を想定していたが、もちろん不均一になる場合も有り得る。具体的には、蛍光体５から液晶パネル１４までの間にある集光レンズユニット４やコンデンサーレンズ８などのレンズで発生する収差による影響で、第１フライアイレンズ６ａの入射光束の光量分布にムラが出る場合がある。
【００８４】
このような場合には、本実施例で示すように、照明光学系２００の光軸方向視において、ダイクロイックミラー３の重心と、第１フライアイレンズ６ａの重心とがほぼ一致していることが好ましい。これにより、左右でほぼ対称な色ムラを発生させることができる、投射画像の画質の劣化を抑制することが可能となる。
【００８５】
特に、中心と端の分布に差が出やすいフライアイレンズセルの長手方向に対して、ダイクロイックミラー３が対称となるようにすると良い。また、フライアイレンズの分割数が奇数の場合は、光束を２分割する対称線に合わせて、ダイクロ投影領域はフライアイセルの２等分線に対して対称に配置すると良い。
【００８６】
なお、本発明の数値実施例は以下のとおりである。表１における単位は全てｍｍである。
【００８７】
【表１】
0006532344.tif 000002
【００８８】
【表２】
0006532344.tif 000003
【００８９】
〔他の実施形態〕
前述した実施例では、青色光を発するＬＤ光源を用いた光源装置の構成を例示したが、本発明はこれに限定されるものではない。青色の波長帯域の光を発するような光源であれば、例えば、青色ＬＥＤ光源などであっても良い。
【００９０】
また、前述の各実施例においては、ＬＤ光源１とコリメータレンズ２を各１個ずつ備えた光源系１００の構成を例示したが、本発明はこれに限定されるものではない。ＬＤ光源１とコリメータレンズ２は複数あっても、複数のＬＤ光源１と複数のコリメータレンズ２とが一体に構成されてＬＤバンクを光源系１００としても良い。また、ＬＤ光源１とコリメータレンズ２を複数備えた光源系１００が、複数のコリメータレンズ２からの光を反射する複数のミラーと、複数のミラーからの光を受光する正レンズを備えたミラーアレイユニットをさらに備えていても良い。
【００９１】
また、前述した実施例では、集光レンズユニット４として、２枚のレンズを備える構成を例示したが、本発明はこれに限定されるものではない。全体として正のパワーを持つような構成であれば、例えば、１枚あるいは２枚より多い枚数のレンズからなる構成などであっても良い。なお、２枚のレンズを備える集光レンズユニットは、２枚のレンズが一体的にプロジェクターに取り付けられるものであっても、１枚１枚取り付けられるものであっても良い。
【００９２】
なお、前述の各実施例におけるレンズセルの境界とダイクロイックミラー３との第１の方向の距離は、第１の方向で見たときの距離である。より詳細には、ダイクロイックミラー３の辺と第２方向の位置が同じ位置にあるレンズセルの境界との第１の方向の距離である。
【００９３】
同様に、前述の各実施例におけるレンズセルの境界とダイクロイックミラー３との第２の方向の距離は、第２の方向で見たときの距離である。より詳細には、ダイクロイックミラー３の辺と第１方向の位置が同じ位置にあるレンズセルの境界との第２の方向の距離である。
【符号の説明】
【００９４】
３  ダイクロイックミラー（導光面）
５  蛍光体（波長変換素子）
６ａ  第１フライアイレンズ（フライアイレンズ）
１４  液晶パネル（光変調素子）
１００  光源系（光源）
２００  照明光学系
【図１】
0006532344.tif 000004
【図２】
0006532344.tif 000005
【図３】
0006532344.tif 000006
【図４】
0006532344.tif 000007
【図５】
0006532344.tif 000008
【図６】
0006532344.tif 000009
【図７】
0006532344.tif 000010